(57)【要約】【課題】遠隔操作により扉の施解錠が可能なキャビネット内に置いた荷を非接触状態で検出し、そのキャビネットの錠を解錠することができるキャビネットにおける扉の施解錠装置を提供すること。【解決手段】電子錠５ａ〜５ｆならびに表示ランプ６ａ〜６ｆを設けた複数のキャビネット１，２，３に、ＩＣタグを有する物品が収容され、これらキャビネット１，２，３から特定の物品を探し出す際に、パーソナルコンピュータ１０からの物品情報の指定により、この物品情報とタグリーダーＲが読み取ったＩＣタグの物品情報が一致した場合に、当該物品が収納されているキャビネットの開閉扉Ｄ１，Ｄ２の電子錠の施錠を解錠するようにした。これにより、その物品をどのキャビネットの戻しても再検知が可能となり、当該キャビネットの表示ランプを点灯させることで視覚的に確認することができる。【選択図】  図１
2004250952.tif 000002
【特許請求の範囲】
【請求項１】
遠隔操作により扉の施解錠が可能で、かつ物品情報が書き込まれたＩＣタグを有する物品が内部に収納されている複数のキャビネットにおける扉の施解錠装置であって、各キャビネットには前記物品情報が非接触で読み取り可能なタグリーダーが設けられ、管理端末からの物品情報の指定により、該物品情報とタグリーダーが読み取ったＩＣタグの物品情報が一致した場合に、当該ＩＣタグを有する物品が収納されているキャビネットの扉を解錠することを特徴とするキャビネットにおける扉の施解錠装置。
【請求項２】
前記各キャビネットに表示ランプを設け、扉解錠時に該表示ランプを点灯させる請求項１に記載のキャビネットにおける扉の施解錠装置。
【請求項３】
前記キャビネットには表示ランプを各々有する複数の棚が設けられていると共に、各棚毎に載置した荷の物品情報を読み取ることができるタグリーダーが配置され、管理端末で指定した物品情報を有する荷が収納されている棚の表示ランプを点灯させる請求項２に記載のキャビネットにおける扉の施解錠装置。
【請求項４】
前記タグリーダーからの検知情報は管理端末に登録される請求項１ないし３の何れか記載のキャビネットにおける扉の施解錠装置。
【請求項５】
前記管理端末からの物品情報の指定によりキャビネットの扉を解錠した場合、その解錠情報及びその後の施解錠情報を記録する請求項１ないし４の何れかに記載のキャビネットにおける扉の施解錠装置。
【発明の詳細な説明】
【０００１】
【発明の属する技術分野】
本発明は、物品情報が書き込まれたＩＣタグを有する棚に載置した荷の検出装置に関する。
【０００２】
【従来の技術】
近年、複数のキャビネットを電磁波や赤外線等を用いて遠隔操作により施解錠するシステムの開発が行われており、本願出願人も、リモコンにて複数の什器の施解錠が実施できる什器施解錠システムを既に出願している（特願２００１−３３８２５４号）。このような施解錠システムはいくつもの鍵を常に持参する必要がなく離れた位置から施解錠できるので便利であるが、キャビネットの数が増えてくると、どこのキャビネットに何が収納されているかを示す対応表等を作成しておかないと物品を直ぐに取り出せないという不便さがあり、使用した物品を対応表通りに戻しておかないと物品の取り出しに困難が生じることがあった。
【０００３】
一方、棚上に置かれた物品を検出する装置として、物品に識別情報が付されているタグを被検出体である物品に取付け、親機からの指定したデータをタグに送信し、タグのコイルと棚に埋め込まれているアンテナとの電磁誘導作用でランプを点滅させて物品の位置を非接触でかつ自動的に検出するものは既に開発されている（特許文献１参照）。
【０００４】
【特許文献１】
特開平７−１８２３５７号公報（段落００１１−００２２，図１−３）
【０００５】
【発明が解決しようとする課題】
しかしながら、上記特許文献１に記載のものは、棚上に置かれた物品を検出するだけであって、鍵の掛かるキャビネットに物品を収納した状態で検出するものではなかった。
【０００６】
本発明は、このような事情に鑑みてなされたもので、遠隔操作により扉の施解錠が可能なキャビネット内に置いた荷を非接触状態で検出し、そのキャビネットの錠を解錠することができるキャビネットにおける扉の施解錠装置を提供することを目的とするものである。
【０００７】
【課題を解決するための手段】
上記課題を解決するために、本発明のキャビネットにおける扉の施解錠装置は、遠隔操作により扉の施解錠が可能で、かつ物品情報が書き込まれたＩＣタグを有する物品が内部に収納されている複数のキャビネットにおける扉の施解錠装置であって、各キャビネットには前記物品情報が非接触で読み取り可能なタグリーダーが設けられ、管理端末からの物品情報の指定により、該物品情報とタグリーダーが読み取ったＩＣタグの物品情報が一致した場合に、当該ＩＣタグを有する物品が収納されているキャビネットの扉を解錠することを特徴としている。
この特徴によれば、管理端末からの物品情報の指定により、その物品情報を有する物品を即座に検知して、その物品が収納されているキャビネットの扉を解錠することでき、どのキャビネットの戻しても再検知が可能である。
【０００８】
本発明のキャビネットにおける扉の施解錠装置において、前記各キャビネットに表示ランプを設け、扉解錠時に該表示ランプを点灯させることが好ましい。
このようにすれば、物品が収納されているキャビネットが解錠されていることを視覚的に確認することができる。
【０００９】
本発明のキャビネットにおける扉の施解錠装置において、前記キャビネットには表示ランプを各々有する複数の棚が設けられていると共に、各棚毎に載置した荷の物品情報を読み取ることができるタグリーダーが配置され、管理端末で指定した物品情報を有する荷が収納されている棚の表示ランプを点灯させることが好ましい。
このようにすれば、キャビネット内の棚毎に表示ランプがあるので、指定した物品がどの棚に存在するか確認できる。
【００１０】
本発明のキャビネットにおける扉の施解錠装置において、前記タグリーダーからの検知情報は管理端末に登録されることが好ましい。
このようにすれば、物品の収納状態が把握できるので、例え物品の戻し位置を間違えても支障を来すことはなく、物品の総合管理が可能である。
【００１１】
本発明のキャビネットにおける扉の施解錠装置において、前記管理端末からの物品情報の指定によりキャビネットの扉を解錠した場合、その解錠情報及びその後の施解錠情報を記録することが好ましい。
このようにすれば、施解錠時の履歴を残すことにより、誰が何時何を使用し、そしてどこに戻したかを調べることができる。
【００１２】
【発明の実施の形態】
本発明の実施形態について図面を参照して説明する。
【００１３】
図１〜図４は本発明の一実施形態を示すもので、図１は複数のキャビネットにおいて特定の物品が収容されたキャビネットの扉を遠隔操作により施解錠を行うシステム構成図、図２は内部に設けられた複数の棚に対応するようにそれぞれタグリーダーを設けたキャビネットの扉を解放した状態を示す部分斜視図、図３はタグリーダーの動作原理を示す概念図であり、図４は各種キャビネットの棚内に収容された物品から特定の物品を読み取り処理するブロック図である。
【００１４】
図１において、符号１〜３は収納形態の異なる各種キャビネットを示し、キャビネット１は、引出し構造の下部キャビネット１ａとその上部に載置された引戸構造の上部キャビネット１ｂとから構成され、他のキャビネット２，３は上記と同じ構造の下部キャビネット２ａ，３ａと、その上部に載置された観音開き構造の上部キャビネット２ｂ，３ｂとから構成されている。
【００１５】
上記の各キャビネット１〜３における下部キャビネット１ａ，２ａ，３ａないし上部キャビネット１ｂ，２ｂ，３ｂの前面には、本発明の施・解錠装置を構成する電子錠５ａ〜５ｆと表示ランプ６ａ〜６ｆが近接して配置されている。
【００１６】
この施・解錠装置は、周知であるので詳細の説明は省略するが、マニュアル操作により施・解錠を行う既存の手動キーとなるシリンダ錠と、このシリンダ錠の後方に連接され電気的な操作で施・解錠を行う電動アクチュエータとから電子錠として構成されている。
【００１７】
各キャビネット１〜３の下部キャビネット１ａ，２ａ，３ａは、上下３段の引出しから構成されており、これら各引出しの前面板裏面にはタグリーダーＲ１〜Ｒ３，Ｒ’１〜Ｒ’３，Ｒ’’１〜Ｒ’’３が取付けられている。
【００１８】
キャビネット１における上部キャビネット１ｂの引戸裏面には、内部に配置される上下棚に対応するタグリーダーＲ４〜Ｒ５が取付けられており、キャビネット２，３における上部キャビネット２ｂ，３ｂの観音開き構造として構成される開閉扉Ｄ１，Ｄ２の裏面にも、内部の上下棚に対応するタグリーダーＲ’４〜Ｒ’５，Ｒ’’４〜Ｒ’’５が取付けられ、上部キャビネット２ｂ、３ｂ内部に設けられる上下棚の中央には、表示ランプ２５ａ，２５ｂ（図２参照）が設けられている。
【００１９】
一方、連設配置されたキャビネット１〜３におけるキャビネット１の天板上には、予め認証された操作者の所有するリモートコントローラＲＣから送信される施・解錠信号を受信する受信アンテナ１２が設置されており、この受信アンテナ１２はコントロールユニット１５に接続されている。
【００２０】
上部キャビネット１ｂ及び下部キャビネット１ａの前面開口部上方の前面板Ｆには、電子錠５ａ、５ｂ並びに表示ランプ６ａ，６ｂが隣接して配設され、これら電子錠５ａ、５ｂ並びに表示ランプ６ａ，６ｂは、制御ユニット１４ａに接続されている。
【００２１】
そして、キャビネット１における下部キャビネット１ａ及び上部キャビネット１ｂのタグリーダーＲ１〜Ｒ３、ないし引戸し裏面のタグリーダーＲ４〜Ｒ５も制御ユニット１４ａにそれぞれ接続されている。
【００２２】
更に、観音開き構造の開閉扉Ｄ１、Ｄ２を持つキャビネット２、３の上部キャビネット２ｂ、３ｂ、及び下部キャビネット２ａ、３ａの電子錠５ｃ〜５ｆ、ないし表示ランプ６ｃ〜６ｆも、制御ユニット１４ｂ、１４ｃにそれぞれ接続されている。
【００２３】
また、下部キャビネット２ａ、３ａ引出しのタグリーダーＲ’１〜Ｒ’３，Ｒ’’１〜Ｒ’’３、ないし開閉扉Ｄ１、Ｄ２裏面の各上下棚に対応するＲ’４〜Ｒ’５，Ｒ’’４〜Ｒ’’５は、制御ユニット１４ｂ、１４ｃに接続されている。
【００２４】
そして、これら制御ユニット１４ｂ、１４ｃは、キャビネット１の制御ユニット１４ａと共に、コントロールユニット１５に直列に接続されており、コントロールユニット１５は管理端末としてのパーソナルコンピュータ１０に接続されている。
【００２５】
更に、各キャビネット１〜３における下部キャビネット１ａ，２ａ，３ａないし上部キャビネット１ｂ，２ｂ，３ｂの内部に収納される物品Ｗ１，Ｗ２，Ｗ３…Ｗｎには、図１及び図２に示すように、タグリーダーＲ１〜Ｒ５，Ｒ’１〜Ｒ’５，Ｒ’’１〜Ｒ’’５にて読取可能な非接触ＩＣカードとしてのＩＣタグＴ１〜Ｔｎが取り付けられている。
【００２６】
このＩＣタグＴ１〜Ｔｎは、図３に示すような周知のＲＦＩＤ（無線自動識別）タグであって、主に半導体からなるシリコンチップで構成される記憶部２６と、図示しない通信部及びアンテナ・コイル２８から構成されており、記憶部２６はリード・ライトが可能な構成となっている。
【００２７】
一方、上述したタグリーダーＲ１〜Ｒ５，Ｒ’１〜Ｒ’５，Ｒ’’１〜Ｒ’’５は、このアンテナ３０とＩＣタグＴのアンテナ・コイル２８との間で電波の送・受信を行なうもので、非接触で各種物品（Ｗ１，Ｗ２・・・Ｗｎ）情報が同時に読み取り可能となっている。
【００２８】
ここで、パーソナルコンピュータ１０は、図４に示すように、データの送受を行うデータバス２０に、ＲＡＭ，ＲＯＭ等から成る記憶部２４や各種登録処理等を実施する中央演算処理装置（ＣＰＵ）２２がそれぞれ接続され、キーボード等の入力装置１８や、表示装置（ＣＲＴ）としてのディスプレイ１６やタグリーダーＲ（Ｒ１〜Ｒ５，Ｒ’１〜Ｒ’５，Ｒ’’１〜Ｒ’’５）および表示ランプ６ａ〜６ｆがインターフェイスＩ／Ｆを介して接続されている。
【００２９】
次に、複数のキャビネットから特定の物品が収容されたキャビネットの該当する扉の施解錠を遠隔操作により行う作用に付き図１〜図４を参照して説明する。
【００３０】
先ず、収納形態の異なる各種キャビネット１〜３内に各種物品Ｗを収容するに際し、これら物品Ｗ１，Ｗ２，Ｗ３…Ｗｎ毎にそれらを特定する物品情報としてバイナリ−デ−タ（２進数）からなるＩＤコードを書き込んだＩＣタグＴ１〜Ｔｎが取付けられ、この物品情報に対応する各キャビネット１〜３の各種電子錠５ａ〜５ｆのコード、タグリーダーＲ１〜Ｒ”５の配置コード並びに表示ランプ６ａ〜６ｆのコードが管理端末１０の入力装置１８を介して記憶部２４に登録される。
【００３１】
各種物品Ｗ１，Ｗ２，Ｗ３…Ｗｎが、各キャビネット１〜３の内部に収容されると、例えば後述するリモートコントローラＲＣからの遠隔操作により、キャビネット１〜３の下部キャビネット１ａ，２ａ，３ａの引戸し及び上部キャビネット１ｂ，２ｂ，３ｂの引戸ならびに開閉扉Ｄ１、Ｄ２の電子錠５ａ〜５ｆがすべて施錠される。
【００３２】
そこで、図１、図２に示すように、各キャビネット１〜３内に収容されている各種物品Ｗ１，Ｗ２，Ｗ３…Ｗｎの中から特定の物品として、例えばＷ３を検出する際に、キーボード等の入力装置１８を介して物品情報としてのＷ３のＩＤコードを入力して検索作業を開始する。
【００３３】
検索作業が開始されると、タグリーダーＲ１〜Ｒ３，Ｒ’１〜Ｒ’３，Ｒ’’１〜Ｒ’’３のアンテナ３０と各ＩＣタグＴのアンテナ・コイル２８との間で電波の送・受信が行われる。
【００３４】
各タグリーダーＲ１〜Ｒ３，Ｒ’１〜Ｒ’３，Ｒ’’１〜Ｒ’’３のアンテナ３０から取り込まれた各種ＩＤコードとＷ３のＩＤコードを比較し、図２に示される特定の物品Ｗ３が収容されているキャビネット２内のタグリーダーＲ’５が検知したコードがＷ３のＩＤコード互いに一致すると、予め記憶部２４に登録されているタグリーダーＲ’５の配置コードから上部キャビネット２ｂの電子錠５ｄと表示ランプ６ｄを割りだし、上部キャビネット２ｂの開閉扉Ｄ１の電子錠５ｄが解錠されると同時に、表示ランプ６ｄが点灯する。
【００３５】
次に、上部キャビネット２ｂの開閉扉Ｄ１，Ｄ２が解放されると、特定の物品Ｗ３が載置されている棚の表示ランプ２５ａが点灯しており、パーソナルコンピュータ１０に入力された特定の物品Ｗ３が上方の棚にあることがわかる。
【００３６】
次に、この解錠状態から電子錠５を施錠するには、先ず、開閉扉Ｄ１、Ｄ２を閉じた状態でリモートコントローラＲＣから送信した施錠信号を、受信アンテナ１２が受信することで、図示しない電動アクチュエータが作動しスライド錠が前進移動して施錠状態とすることができる。
【００３７】
尚、電子錠５が電気的なトラブル（停電など）で操作が不能となった場合には、シリンダ錠の手動キーによるマニュアル操作により施・解錠操作することができる。
【００３８】
コントロールユニット１５に接続されているパーソナルコンピュータ１０は、コントロールユニット１５を介して施・解錠操作が行われたキャビネットの種別乃至その日時、回数などの履歴や操作した操作者名等を記憶し、施・解錠の管理システムを構築している。
【００３９】
従って、本発明の施解錠装置によれば、各キャビネット１，２，３には、物品情報が非接触で読み取り可能なタグリーダーＲ（Ｒ１〜Ｒ５，Ｒ’１〜Ｒ’５，Ｒ’’１〜Ｒ’’５）が取付けられ、パーソナルコンピュータ１０からの物品情報の指定により、この物品情報とタグリーダーＲが読み取ったＩＣタグＴ１〜Ｔｎの物品情報が一致した場合に、このＩＣタグＴ３を有する物品Ｗ３が収納されている上部キャビネット２ｂの開閉扉Ｄ１、Ｄ２の電子錠５ｄが解錠されるようになっているので、その物品Ｗ３をどのキャビネットの戻しても再検知することが可能となる。
【００４０】
また、各キャビネット１，２，３には、表示ランプ６ａ〜６ｆが設けられているので、該当する電子錠５ｄ解錠時に表示ランプ６ｄを点灯させることで、物品Ｗ３が収納されている上部キャビネット２ｂの開閉扉Ｄ１、Ｄ２が解錠されていることを視認することができる。
【００４１】
更に、上部キャビネット２ｂ、３ｂには、表示ランプ２５ａ，２５ｂを各々有する複数の棚が設けられていると共に、各棚毎に載置した物品Ｗの物品情報を読み取ることができるタグリーダーＲ’４，Ｒ’５およびＲ’’４，Ｒ’’５が開閉扉Ｄ１、Ｄ２の裏面に配置され、パーソナルコンピュータ１０で指定した物品情報を有する物品Ｗ３が収納されている棚の表示ランプ２５ｂが点灯するので、指定した物品Ｗ３がどの棚に存在するか直ぐに確認できる。
【００４２】
そして、タグリーダーＲからの検知情報がパーソナルコンピュータ１０の記憶部２４に登録されることによって、物品Ｗの収納状態が把握できるので、例え物品Ｗの戻し位置を間違えても支障を来すことはなく、物品Ｗの総合管理が可能となる。
【００４３】
そしてまた、パーソナルコンピュータ１０からの物品情報の指定によりキャビネット１，２，３の扉を解錠した場合、その解錠情報及びその後の施解錠情報が記録されることで、施解錠時の履歴を残すことにより、誰が何時何を使用し、そしてどこに戻したかを調べることができる。
【００４４】
【発明の効果】
本発明は以下の効果を奏する。
【００４５】
（ａ）請求項１項の発明によれば、管理端末からの物品情報の指定により、その物品情報を有する物品を即座に検知して、その物品が収納されているキャビネットの扉を解錠することでき、どのキャビネットの戻しても再検知が可能である。
【００４６】
（ｂ）請求項２項の発明によれば、物品が収納されているキャビネットが解錠されていることを視覚的に確認することができる。
【００４７】
（ｃ）請求項３項の発明によれば、キャビネット内の棚毎に表示ランプがあるので、指定した物品がどの棚に存在するか確認できる。
【００４８】
（ｄ）請求項４項の発明によれば、物品の収納状態が把握できるので、例え物品の戻し位置を間違えても支障を来すことはなく、物品の総合管理が可能である。
【００４９】
（ｅ）請求項５項の発明によれば、施解錠時の履歴を残すことにより、誰が何時何を使用し、そしてどこに戻したかを調べることができる。
【図面の簡単な説明】
【図１】本発明の一実施形態に係り、複数のキャビネットにおいて特定の物品が収容されたキャビネットの扉を遠隔操作により施解錠を行うシステム構成図である。
【図２】内部に設けられた複数の棚に対応するようにそれぞれタグリーダーを設けたキャビネットの扉を解放した状態を示す部分斜視図である。
【図３】タグリーダーの動作原理を示す概念図である。
【図４】各種キャビネットの棚内に収容された物品から特定の物品を読み取り処理するブロック図である。
【符号の説明】
１，２，３              キャビネット
１ａ，２ａ，３ａ        下部キャビネット
１ｂ，２ｂ，３ｂ        上部キャビネット
５ａ〜５ｆ              電子錠
６ａ〜６ｆ              表示ランプ
１０                    パーソナルコンピュータ（管理端末）
１２                    受信アンテナ
１４ａ，１４ｂ，１４ｃ  制御ユニット
１５                    コントロールユニット
１６                    ディスプレイ（表示装置）
１８                    入力装置
２０                    データバス
２４                    記憶部
２５ａ，２５ｂ          表示ランプ
２６                    記憶部
２８                    アンテナ・コイル
３０                    アンテナ
Ｄ１，Ｄ２              開閉扉
Ｆ                      前面板
Ｉ／Ｆ                  インターフェイス
Ｒ，  Ｒ１〜Ｒ５        タグリーダー
Ｒ’１〜Ｒ’５          タグリーダー
Ｒ’’１〜Ｒ’’５        タグリーダー
ＲＣ                    リモートコントローラ
Ｔ，Ｔ１〜Ｔｎ          ＩＣタグ
Ｗ                      物品
Ｗ１，Ｗ２，Ｗ３…Ｗｎ  物品
【図１】
2004250952.tif 000003
【図２】
2004250952.tif 000004
【図３】
2004250952.tif 000005
【図４】
2004250952.tif 000006